(57)【特許請求の範囲】
【請求項１】
通常モードにおいてのみ動作する主電源と、少なくとも待機モードにおいて動作するように設定され、上記主電源と異なる出力電圧に設定された副電源を有する電源部と、上記主電源から電力供給されバーナの燃焼制御を行う燃焼制御部と、上記副電源から電力供給され通常モードと待機モードとの切替を行うモード切替部とを備えたメインコントローラを備え、
上記メインコントローラの電源部から電力供給されるとともに上記燃焼制御部と通信を行う複数のリモコンと
を備えた燃焼制御装置において、
上記リモコンは、上記メインコントローラの電源部から供給される電源電圧に基づいて、主電源と副電源のうちのいずれかより電圧供給されているかを検出し、この検出結果に基づきリモコン自身の動作モードを待機モードから通常モードに切り替えるリモコン側モード切替手段を備えたことを特徴とする燃焼制御装置。
【請求項２】
上記リモコンは、上記リモコンの待機モード中においてリモコン操作の有無を判定する操作判定部を備え、該リモコン操作が行われたことを検出して自身を通常モードに切り替えると共に、上記メインコントローラのモード切替部にモード切替指令を出力して該メインコントローラを通常モードにすることにより、他のリモコンを待機モードから通常モードに切り替えることを特徴とする請求項１記載の燃焼制御装置。
【請求項３】
上記主電源の設定電圧を上記副電源の設定電圧より高くしたことを特徴とする請求項１または２記載の燃焼制御装置。
【発明の詳細な説明】
【０００１】
【発明の属する技術分野】
本発明はリモコンにてメインコントローラの燃焼制御部を遠隔制御する燃焼制御装置に関する。
【０００２】
【従来の技術】
従来から燃焼制御システム、例えば給湯システムにおいては、台所，浴室といった給湯使用場所にリモコンを設置し、リモコンからの操作指令を給湯器本体に設けられたメインコントローラ（以下、メインコンと呼ぶ）で受信して給湯制御を行うような構成がとられている。
【０００３】
こうしたリモコンおよびメインコンは、使用者からの操作指令に対していつでも動作できるように通信回路，燃焼制御回路等の負荷に常時電源が供給されているが、最近では、給湯動作を行っていない時の各負荷での消費電力を抑えるために、電力供給を特定の負荷のみ絞ってスタンバイし（待機モード）、リモコンの操作を検出して通常モードに復帰するシステムも考えられている。
【０００４】
この通信システムは、図６に示すように、給湯器本体内に設けられるメインコン１１０（以下、必要に応じてＭＣと呼ぶ）と、メインコン１１０に通信線１６０を介して電力供給を受けると共にデータ通信を行う風呂用リモコン１２０，台所用リモコン１４０（以下、これらを区別しない場合には単にリモコンと呼び、必要に応じてＲＣと呼ぶ）とから構成される。
【０００５】
メインコン１１０は、燃焼制御を行うＭＣマイコン１１１と、ＭＣマイコン１１１からの指令に基づいてリモコンと通信を行うＭＣ通信ＩＣ１１２と、その通信ドライバーとなるＭＣドライバー１１９と、商用電源を直流電圧に変換してＭＣマイコン１１１，ＭＣ通信ＩＣ１１２へ電力を供給する主電源１１３と、主電源１１３への電力供給ラインに設けられる主電源用スイッチ１１４と、各リモコン１２０，１４０からの通信信号（キャリア）を検出するＭＣキャリア検出部１１５と、キャリアの検出の有無に応じて主電源用スイッチ１１４を制御するＭＣ主電源入／切制御部１１６と、主電源用スイッチ１１４を介さずに商用電源をＭＣマイコン１１１とは異なった電圧に変換してＭＣキャリア検出部１１５，ＭＣ主電源入／切制御部１１６へ電力を供給する副電源１１７とからなる。
メインコン１１０は、通常モード時においては主電源用スイッチ１１４を閉じており、全ての負荷に電源供給され、待機モード時においては主電源用スイッチ１１４を開いて、ＭＣキャリア検出部１１５，ＭＣ主電源入／切制御部１１６（図６中、＊の付いたもの）のみ副電源１１７から電源供給される。図中における符号１６２は、主電源１１３と副電源１１７とからなる電源部である。
【０００６】
リモコン１２０は、リモコン１２０の表示や通信の制御を司るＲＣマイコン１２１と、ＲＣマイコン１２１からの指令に基づいてメインコン１１０と通信を行うＲＣ通信ＩＣ１２２と、その通信ドライバーとなるＲＣドライバー１３２と、メインコン１１０から通信線１６０を介して得た副電源１１７からの電力を所望の電圧に変えてＲＣマイコン１２１およびＲＣ通信ＩＣ１２２へ供給するＲＣ電源１２３と、ＲＣ電源１２３への電力供給ラインに設けられるＲＣ用スイッチ１２４と、メインコン１１０からのキャリアを検出するＲＣキャリア検出部１２５と、キャリアの検出の有無に応じてＲＣ用スイッチ１２４を制御するＲＣ電源入／切制御部１２６と、運転スイッチ１３０ａおよび給湯温度の設定等を行う設定スイッチを備えた操作キー１３０と、運転スイッチ１３０ａの操作の有無を検出するキー検出部１３１と、設定給湯温度等を表示する表示部１２９とからなる。リモコン１２０は、通常モード時においてはＲＣ用スイッチ１２４を閉じており、全ての負荷に電源供給され、待機モード時においてはＲＣ用スイッチ１２４を開いて、キー検出部１３１，ＲＣ電源入／切制御部１２６，ＲＣキャリア検出部１２５のみメインコン１１０から電源供給される。
尚、台所用リモコン１４０は、風呂用リモコン１２０と同様の構成であるため、説明を省略する。
【０００７】
次に、起動時のシーケンスについて図７を用いて説明する。
メインコン１１０，リモコン１２０，１４０が待機モードにある時に、ある１台のリモコン（ここでは風呂用リモコン１２０）の運転スイッチ１３０ａが操作されると、キー検出部１３１がオン信号を出力し、それを受けてＲＣ電源入／切制御部１２６がＲＣ用スイッチ１２４を閉じ、メインコン１１０から通信線１６０，ＲＣ電源１２３を介してＲＣマイコン１２１，ＲＣ通信ＩＣ１２２，表示部１２９，ＲＣドライバー１３２に電力が供給されてこれらが起動する。
こうして、ＲＣマイコン１２１は、システム全体を通常モードに戻すため、ＲＣ通信ＩＣ１２２，ＲＣドライバー１３２を介してキャリア（ここでは、通常モードへの復帰信号）を通信線１６０へ送信する。
【０００８】
そして、メインコン１１０では、ＭＣキャリア検出部１１５が通信線１６０からのキャリアを検出して、ＭＣ主電源入／切制御部１１６が主電源用スイッチ１１４を閉じて、主電源１１３からＭＣマイコン１１１とＭＣ通信ＩＣ１１２に電力が供給されてこれらが起動復帰する。こうして、ＭＣマイコン１１１が通常コマンドを通信線１６０へ送信する。
一方、操作されていない台所用リモコン１４０では、ＲＣキャリア検出部１４５が通信線１６０を介して風呂用リモコン１２０からのキャリアを検出して、風呂用リモコン１２０と同様に、ＲＣ電源入／切制御部１４６がＲＣ用スイッチ１４４を閉じ、メインコン１１０から通信線１６０，ＲＣ電源１４３を介してＲＣマイコン１４１とＲＣ通信ＩＣ１４２に電力が供給されてこれらが起動する。
このようにして、操作された風呂用リモコン１２０に加えて、操作されていない台所用リモコン１４０およびメインコン１１０が、待機モードから通常モードに切り替わり、メインコン１１０は、通常指令を各リモコン１２０，１４０にそれぞれ割り当てたタイミングで送信して通信を開始する。
具体的には、メインコン１１０は、風呂用リモコン１２０へデータを送信して風呂用リモコン１２０からの応答を受信した後で、台所用リモコン１４０へデータを送信して台所用リモコン１４０からの応答を受信することを繰り返す。
【０００９】
通常モードでの動作中に、１台のリモコンの運転スイッチがオフ操作されると共に他のリモコンが所定時間制御操作されていない等の、待機モードへ移行する条件が揃うと、ＭＣマイコン１１１は、各リモコン１２０，１４０へ待機モード移行の指令を送信する。これを受けて各リモコン１２０，１４０のＲＣマイコン１２１，１４１は、所定のタイミングでそれぞれ各自のＲＣ電源入／切制御部１２６，１４６にオフ信号を出力してＲＣ電源１２３，１４３からの電力供給を停止し、待機モードへ移る。
そして、メインコン１１０のＭＣマイコン１１１は、所定時期にＭＣ主電源入／切制御部１１６へオフ信号を出力し、主電源１１３を切って、ＭＣマイコン１１１およびＭＣ通信ＩＣ１１２へ電力を供給することを停止し、待機モードへ移行する。
【００１０】
【発明が解決しようとする課題】
しかしながら、この通信システムでは、各リモコン１２０，１４０に、メインコン１１０からの復帰指令信号（キャリア）を受信するための専用回路（キャリア検出部１２５，１４５）をわざわざ設けなければならず、待機時にも動作しているこのキャリア検出部１２５，１４５での電力消費が大きかった。また、このキャリア検出部１２５，１４５は、通信データの周波数を弁別するフィルター回路を必要として構成が複雑になるため高価であった。
本発明の燃焼制御装置は上記課題を解決し、電力消費を抑えることを目的とする。
【００１１】
【課題を解決するための手段】
上記課題を解決する本発明の請求項１記載の燃焼制御装置は、
通常モードにおいてのみ動作する主電源と、少なくとも待機モードにおいて動作するように設定され、上記主電源と異なる出力電圧に設定された副電源を有する電源部と、上記主電源から電力供給されバーナの燃焼制御を行う燃焼制御部と、上記副電源から電力供給され通常モードと待機モードとの切替を行うモード切替部とを備えたメインコントローラを備え、
上記メインコントローラの電源部から電力供給されるとともに上記燃焼制御部と通信を行う複数のリモコンとを備えた燃焼制御装置において、
上記リモコンは、上記メインコントローラの電源部から供給される電源電圧に基づいて、主電源と副電源のうちのいずれかより電圧供給されているかを検出し、この検出結果に基づきリモコン自身の動作モードを待機モードから通常モードに切り替えるリモコン側モード切替手段を備えたことを要旨とする。
【００１２】
また、本発明の請求項２記載の燃焼制御装置は、上記請求項１記載の燃焼制御装置において、
上記リモコンは、上記リモコンの待機モード中においてリモコン操作の有無を判定する操作判定部を備え、該リモコン操作が行われたことを検出して自身を通常モードに切り替えると共に、上記メインコントローラのモード切替部にモード切替指令を出力して該メインコントローラを通常モードにすることにより、他のリモコンを待機モードから通常モードに切り替えることを要旨とする。
【００１３】
また、本発明の請求項３記載の燃焼制御装置は、上記請求項１または２記載の燃焼制御装置において、
上記主電源の設定電圧を上記副電源の設定電圧より高くしたことを要旨とする。
【００１４】
上記構成を有する本発明の請求項１記載の燃焼制御装置は、メインコントローラ（以下、メインコンと呼ぶ）が燃焼制御を行う通常モードでは主電源から燃焼制御部およびリモコンに電力が供給され、節電用の待機モードにあるリモコンがそれぞれメインコンの主電源の電源電圧を検出して各自のリモコンの動作モードを通常モードに切り替える。
このように、キャリアを用いず元々メインコンに備えていた主電源と副電源の電圧の違いを利用してリモコンの動作モードを切り替えるため、消費電力量の多い復帰指令受信用の専用回路（キャリア検出回路）をわざわざ各リモコンに設けなくてもよく、待機中におけるリモコンの消費電力を抑えることができる。
【００１５】
また、本発明の請求項２記載の燃焼制御装置は、メインコンおよび各リモコンの待機時において１台のリモコンが操作されると、そのリモコンは、リモコン操作が行われたことを検出して自身を通常モードに切り替えると共に、メインコンのモード切替部にモード切替指令を出力してメインコンを通常モードにして主電源からリモコンへ電力を供給する。他のリモコンは、この主電源の電圧を検出して各自の動作モードを通常モードに切り替える。
つまり、１台のリモコンを操作するだけで、通信キャリアを使わずに自動的に他のリモコンを待機モードから通常モードへ切り替えることができる。
【００１６】
また、本発明の請求項３記載の燃焼制御装置は、主電源の設定電圧の方が副電源より高く、しかも、電源部からの電力が主電源と副電源との区別なく各リモコンへ供給されるため、通常モードでは、電圧の高い主電源が自動的に副電源より優先されて各リモコンへ供給される。
【００１７】
【発明の実施の形態】
以上説明した本発明の構成・作用を一層明らかにするために、以下本発明の燃焼制御装置の好適な実施形態について説明する。
【００１８】
本発明の一実施形態としての追焚機能付給湯器について図１〜図４を用いて説明する。
追焚機能付給湯器の通信システムは、図１に示すように、給湯器本体内に設けられるメインコントローラ１０（以下、メインコンあるいはＭＣと呼ぶ）と、メインコン１０に通信線６０を介して電力供給を受けると共にデータ通信を行う風呂用リモコン２０，台所用リモコン４０（以下、これらを区別しない場合には単にリモコンと呼び、必要に応じてＲＣと呼ぶ）とから構成される。
尚、この追焚機能付給湯器では、最大４台までリモコンを接続できるようになっているが、本実施形態では、リモコンを２台備えている。
【００１９】
メインコン１０は、給湯器本体のセンサ，アクチュエータと入出力インターフェースを介して接続され図示しない給湯バーナ，風呂バーナの燃焼制御を行うマイコンを要部とするＭＣ制御部１１（燃焼制御部）と、ＭＣ制御部１１からの指令に基づいてリモコン２０，４０へ通信を行うＭＣ送受信回路１２と、ＭＣ制御部１１の暴走を監視するウォッチドッグ回路１９と、商用電源を直流電圧に変換してＭＣ制御部１１，ＭＣ送受信回路１２，ウォッチドッグ回路１９へ電力を供給するＭＣ主電源１３と、ＭＣ主電源１３への電力供給ラインに設けられるＭＣ主電源用スイッチ１４と、各リモコン２０，４０からの通信信号（キャリア）を検出するＭＣキャリア検出部１５と、キャリアの検出の有無に応じてＭＣ主電源用スイッチ１４を制御するＭＣ電源入／切制御部１６（モード切替部）と、商用電源をＭＣ制御部１１とは異なった電圧に変換してＭＣキャリア検出部１５およびＭＣ電源入／切制御部１６へ電力を供給するＭＣ副電源１７と、各リモコン２０，４０からのキャリアをＭＣ主電源１３やＭＣ副電源１７へ送らないようにするＭＣフィルター１８とからなる。ＭＣ副電源１７への電力供給ラインにスイッチを設けていないため、ＭＣ副電源１７は常時商用電源から電力供給を受ける。
メインコン１０は、通常モード時においてはＭＣ主電源用スイッチ１４を閉じており、全ての負荷に電源供給され、待機モード時においてはＭＣ主電源用スイッチ１４を開いて、ＭＣキャリア検出部１５，ＭＣ電源入／切制御部１６，ＭＣ副電源１７（図１中において＊の付いたもの）のみＭＣ副電源１７から電源供給される。図中における符号６２は、ＭＣ主電源１３とＭＣ副電源１７とからなる電源部であり、電力供給線を兼用した通信線６０と接続されている。
【００２０】
次に、風呂用リモコン２０の主な構成要素について説明する。尚、台所用リモコン４０（図２参照）については、同様の構成要素を備えているため説明を省略する。
風呂用リモコン２０は、設定給湯温度等を表示したりブザーを鳴らす表示部２９と、メインコン１０と通信制御を行うと共に表示部２９を駆動制御するＲＣ制御部２１と、メインコン１０と通信するＲＣ送受信回路２２と、メインコン１０から通信線６０を介して得た電力を所望の電圧に変えてＲＣ制御部２１，ＲＣ送受信回路２２，表示部２９へ電力を供給するＲＣ主電源２３と、ＲＣ主電源２３への電力供給ラインに設けられるＲＣ主電源用スイッチ２４と、メインコン１０から供給される電力の電圧を検出する電圧検出部２５と、電圧検出値に応じてＲＣ主電源用スイッチ２４を制御するＲＣ主電源入／切制御部２６（リモコン側モード切替手段）と、運転スイッチ３０ａおよび給湯温度の設定等を行う設定スイッチを備えた操作キー３０と、運転スイッチ３０ａの操作の有無を検出するキー検出部３１（操作判定部）と、メインコン１０から通信線６０を介して得た電力を所望の電圧に変えて電圧検出部２５，ＲＣ主電源入／切制御部２６，操作キー３０，キー検出部３１へ電力を供給するＲＣ副電源２７と、ＲＣ送受信回路２２からメインコン１０への通信信号（キャリア）を電圧検出部２５やＲＣ副電源２７へ送らないようにするＲＣフィルター２８とを備える。
風呂用リモコン２０は、通常モード時においてはＲＣ主電源用スイッチ２４を閉じており、全ての負荷に電源供給され、待機モード時においてはＲＣ主電源用スイッチ２４を開いて、電圧検出部２５，ＲＣ電源入／切制御部２６，ＲＣ副電源２７，キー検出部３１のみメインコン１０から電源供給される。
【００２１】
この風呂用リモコン２０は、メインコン１０から送信されるリモコン制御情報に含まれる信号である応答要求１（図示略）に対してデータを送信するもので、一方、台所用リモコン４０は、メインコン１０からの送信信号である応答要求２に対してデータを送信するものである。つまり、各リモコン２０，４０は、メインコン１０と通信するタイミングがそれぞれ割り当てられている。
【００２２】
次に、起動時のシーケンスについて図３を用いて説明する。
メインコン１０が待機モードにある時に、リモコン２０，４０は、メインコン１０のＭＣ副電源１７からその設定電圧で電力が通信線６０を介して供給されて待機モードを維持する。
この状態から、ある１台のリモコン（ここでは、風呂用リモコン２０）の運転スイッチ３０ａが操作されると、キー検出部３１がオン信号を出力し、それを受けてＲＣ電源入／切制御部２６がＲＣ主電源用スイッチ２４を閉じて、メインコン１０から通信線６０を介してＲＣ制御部２１，ＲＣ送受信回路２２，表示部２９に電力が供給されてこれらが起動し、ＲＣ制御部２１が通信データをＲＣ送受信回路２２，通信線６０を介してメインコン１０へ送信する。
【００２３】
そして、メインコン１０では、ＭＣキャリア検出部１５が通信線６０からのキャリアを検出して、ＭＣ電源入／切制御部１６がＭＣ主電源用スイッチ１４を閉じて、ＭＣ主電源１３からＭＣ制御部１１，ＭＣ送受信回路１２，ウォッチドッグ回路１９に電力が供給されてこれらが起動し、各リモコン２０，４０にはＭＣ主電源１３の設定電圧が印加される。
【００２４】
自身の運転スイッチが操作されていないリモコン（ここでは台所用リモコン４０）は、電圧検出部４５で主電源の電圧を検出して、それを受けてＲＣ電源入／切制御部４６がＲＣ主電源用スイッチ４４を閉じて、メインコン１０から通信線６０を介して供給される電源をＲＣ主電源４３で所定電圧に変換して、表示部４９，ＲＣ制御部４１，ＲＣ送受信回路４２に電力が供給されてこれらが起動し、待機モードから通常モードに移行してメインコン１０と通信できるようになる。
つまり、あるリモコンが操作されると、そのリモコンのＲＣ制御部等が起動し、それに伴ってメインコン１０のＭＣ主電源１３，ＭＣ制御部１１が起動して各リモコンへの供給電圧が変更され、操作されていないリモコンにおいても、この電圧変化を受けて自身のＲＣ制御部が起動し、追焚機能付給湯器の通信システム全体が起動して通常モードになる。
【００２５】
通常モードになったメインコン１０は、起動したＭＣ制御部１１からリモコン制御情報を送信すると共に、所定間隔をあけて各リモコンへ応答要求信号を送信する。
この情報を受けて風呂用リモコン２０は、操作情報をメインコン１０へ送信する。一方、台所用リモコン４０は、応答要求２の信号を受けて、メインコン１０と接続しているというデータをメインコン１０へ送信する。但し、このメインコン１０には２台のリモコンしか接続されていないので、応答要求３，４の信号に対する返信は来ない。このようにして、メインコン１０とリモコン２０，４０との通信が繰り返される。
【００２６】
次に、通常モードから待機モードへ移行するシーケンスについて図４を用いて説明する。
風呂用リモコン２０は、通常モードでの動作中に運転スイッチ３０ａでオフ操作されると、メインコン１０から送信されたリモコン制御情報に応答して、メインコン１０にオフ操作データを送信する。
メインコン１０のＭＣ制御部１１は、待機モードへ移行する条件（オフ操作されていないリモコンが所定時間制御操作されていないこと等）が揃うと、ＭＣ電源入／切制御部１６へ主電源停止信号を出力して、ＭＣ主電源用スイッチ１４を開き、各リモコン２０，４０へ供給する電力をＭＣ主電源１３からＭＣ副電源１７に切り替える。
【００２７】
これにより、リモコン２０，４０は、待機時の電圧を検出してＲＣ主電源用スイッチ２４，４４を開き、ＲＣ主電源２３，４３をオフして、そこから電力を得ていたＲＣ制御部２１，４１，ＲＣ送受信回路２２，４２，表示部２９，４９の動作が停止して、待機モードになる。
メインコン１０においても、ＭＣ主電源１３のオフにより、そこから電力を得ていたＭＣ制御部１１，ＭＣ送受信回路１２，ウォッチドッグ回路１９の動作が停止して、待機モードへ移行する。
【００２８】
以上説明したように、本実施形態の追焚機能付給湯器の通信システムでは、各リモコンに復帰移行指令信号を受信するための専用回路（キャリア検出部）を設けなくても、電圧検知という簡単な方法で各リモコンを起動させることができ、待機中の電力消費を抑えることができる。しかも、待機・通常切替のための回路が安価になる。
【００２９】
以上本発明の実施形態について説明したが、本発明はこうした実施形態に何等限定されるものではなく、本発明の要旨を逸脱しない範囲において、種々なる態様で実施し得ることは勿論である。
例えば、ＭＣ副電源１７は、常に動作させる代わりに、図５に示すように、ＭＣ副電源１７への電力供給ラインにＭＣ副電源用スイッチ６１を設けてＭＣ電源入／切制御部１６での制御により、通常モードでは動作させず待機モードのみ動作させるようにしても構わない。
【００３０】
また、各リモコン２０，４０の電圧検出部２５，４５は、ＭＣ主電源１３の設定電圧とＭＣ副電源１７の設定電圧との中間値をしきい値として電圧を検出してもよい。つまり、８Ｖ（ＭＣ副電源１７）や１２Ｖ（ＭＣ主電源１３）といった正確な電圧値が検出されなくても、その中間値の１０Ｖ以上，１０Ｖ未満の何れかを検出して、ＲＣ主電源入／切制御部２６，４６をオン・オフさせて、待機・通常モードの切替を行ってもよい。
また、ＭＣ副電源１７の設定電圧をＭＣ主電源１３の設定電圧より高くして検出電圧の違いからＲＣ主電源入／切制御部２６，４６を制御してもよい。
【００３１】
また、通常モードから待機モードへの移行は、ＭＣ副電源１７の設定電圧の検出に基づいて行う代わりに、通信データにより行ってもよい。この場合には、ＭＣ副電源１７に切り替えるタイミングを、キャリア送信によりリモコン２０，４０を待機モードにしてから所定時間後にすればよい。
また、メインコンとリモコン間の通信を電力供給線を用いず他の専用通信線を用いてもよいし、また、有線でなく無線で通信を行ってもよい。
また、キー検出部３１が操作の有無を検出するキーは、運転スイッチ３０ａに限定されず、他の操作キー３０（例えば、設定給湯温度を増減するアップキー，ダウンキー）であってもよい。
【００３２】
【発明の効果】
以上詳述したように、本発明の請求項１の燃焼制御装置によれば、待機モードの各リモコンは、メインコントローラに元々備えられている２種類の電源の電圧を確認するだけで通常モードに切り替えることができるため、キャリアを検出する専用回路を各リモコンに設ける必要が無く、リモコンの動作モード切替のための回路で消費される電力を抑えることができる。
しかも、このモード切替用回路の構成が簡単になるため、製造コストが安価となる。
【００３３】
更に、本発明の請求項２の燃焼制御装置によれば、１台のリモコンを操作してメインコンの動作電源を主電源にすることにより、通信キャリアを使わずに全てのリモコンを起動させることができる。
【００３４】
更に、本発明の請求項３の燃焼制御装置によれば、主電源の設定電圧の方が副電源より高いため、通常モード時に主電源からの電力を優先してリモコンへ供給するための回路が不要であり、製造コストを抑えることができる。しかも、待機時に動作する電源の電圧の方が低いため、消費電力を減らすことができる。
【図面の簡単な説明】
【図１】一実施形態としての追焚機能付給湯器の通信システムのブロック図である。
【図２】一実施形態としての追焚機能付給湯器の通信システムのブロック図の一部である。
【図３】一実施形態としての通信システムの起動時のタイミングチャートである。
【図４】一実施形態としての通信システムの待機移行のタイミングチャートである。
【図５】変更例としての追焚機能付給湯器の通信システムのブロック図である。
【図６】従来例としての追焚機能付給湯器の通信システムのブロック図である。
【図７】従来例としての通信システムの起動時および待機移行のタイミングチャートである。
【符号の説明】
１０…メインコン、１１…ＭＣ制御部、１２…ＭＣ送受信回路、１３…ＭＣ主電源、１４…ＭＣ主電源用スイッチ、１５…ＭＣキャリア検出部、１６…ＭＣ電源入／切制御部、１７…ＭＣ副電源、２０…風呂用リモコン、２１，４１…ＲＣ制御部、２２，４２…ＲＣ送受信回路、２３，４３…ＲＣ主電源、２４，４４…ＲＣ主電源用スイッチ、２５，４５…電圧検出部、２６，４６…ＲＣ主電源入／切制御部、２７…ＲＣ副電源、３０，５０…操作キー、３０ａ，５０ａ…運転スイッチ、３１，５１…キー検出部、４０…台所用リモコン、６１…ＭＣ副電源用スイッチ、６２…電源部、１２５…ＲＣキャリア検出部。
【図１】
0003837080.tif 000002
【図２】
0003837080.tif 000003
【図３】
0003837080.tif 000004
【図４】
0003837080.tif 000005
【図５】
0003837080.tif 000006
【図６】
0003837080.tif 000007
【図７】
0003837080.tif 000008